(57)【特許請求の範囲】
【請求項１】
対向する基板と開閉板との対向面間に設けられた、メダルを自重により縦方向から横方向へと転動させて通過させるＬ字状のメダル通路と、外部から力が加わると、前記開閉板を回転させて開く返却部と、を備えたメダル選別装置であって、
前記開閉板は、前記基板の上部に設けられた軸支部にて回転自在に軸支され、該軸支部は、軸の延長線が前記メダル通路の入口よりも下方に位置するように配設され、
前記基板における前記メダル通路の縦方向部分に、前記メダル通路の通路空間に向けて前記メダル通路の外部より付勢された常時突出の検知片が出没自在に設けられ、
前記開閉板側の前記メダル通路の壁面における前記検知片の先端部が対向する部位に凹部が形成され、
前記検知片の先端部は、前記開閉板を閉じた状態で前記凹部に入り込んでいる一方、前記開閉板を開いた状態で前記凹部上の前記メダル通路の壁面の延長面に実質的に達しているメダル選別装置。
【発明の詳細な説明】
【技術分野】
【０００１】
本発明は、例えばスロットマシンなどの遊技機に備えられるメダル選別装置に関する。
【背景技術】
【０００２】
従来、スロットマシンの投入口の内方には、メダルの真偽選別と投入枚数を計数するためのメダル選別装置が内蔵されている。メダル選別装置は、メダル選別装置本体をなす基板に開閉板が開閉自在に対設された構造を有する。開閉板は常時、基板側に付勢されており、基板と開閉板との対向面間にメダル通路が形成されている。
【０００３】
また、メダル選別装置には、スロットマシンに設けられたイジェクトボタンが押されると、これに連動して開閉板を回転させて開閉板を開くイジェクト部が設けられている。メダル通路にメダルが詰まった場合は、遊技者がイジェクトボタンを押すことで、開閉板を開き、基板と開閉板との間の隙間から詰まったメダルを排除することができる。
【０００４】
ところで、このようなメダル選別装置に対しては、不正器具を投入口から挿入して、メダルの投入を行わずにメダルカウントを増加させる不正行為が知られている。このような不正行為は、通路幅が広がっている方が不正器具を挿入し易いため、イジェクトボタンを押した状態で実施されることが多い。
【０００５】
従来、このような不正行為への対策として、メダル通路の入口付近に、不正器具の挿入を検知する異物検知レバーを設けることが知られている。しかしながら、異物検知レバーを設けても、イジェクトボタンを押した状態で不正器具が挿入されると、不正器具が異物検知レバーによる検知を掻い潜ってしまい、不正器具の挿入を検知できないことがある。これは、開閉板が開くことでメダル通路の通路幅（メダルの厚み方向の寸法）が広がって異物検知レバーと通路壁との間に隙間ができ、不正器具がこの隙間を通って挿入されるためである。
【０００６】
そこで、さらなる対策として、特許文献１には、異物検知レバーの検知片を複数設け、複数の検知片の動きを検出することで不正器具の挿入を検知する構成が記載されている。
【０００７】
また、特許文献２には、メダル通路の途中に該メダル通路から分岐したメダル排除用のメダル排除通路を設け、開閉板を開く駆動手段のＯＮ／ＯＦＦに連動させて、メダル通路あるいはメダル排除通路の何れか一方を開口し、他方を閉鎖して通路を切換えることで、不正器具の侵入を防ぎ、かつメダルの排除も実施できる構成が記載されている。
【先行技術文献】
【特許文献】
【０００８】
【特許文献１】特開２００６−０７２６８７号公報（２００６年０３月１６日公開）
【特許文献２】特開２００８−１４８７２８号公報（２００８年０７月０３日公開）
【発明の概要】
【発明が解決しようとする課題】
【０００９】
しかしながら、特許文献１の構成は、不正器具の挿入の検知精度を上げることは可能であるが、不正器具の挿入を物理的に困難にするものではない。これに対し、特許文献２の構成では、メダル排除通路が開口されたメダル受付拒否状態では確実に不正器具を防ぐことができる。しかしながら、メダル通路が開口したメダル受付状態では、イジェクトボタンが押されてメダル通路が広げられると、挿入された不正器具が検知レバーを掻い潜る可能性がある。
【００１０】
本発明は、上記課題に鑑みなされたもので、その目的は、本来、不正器具を挿入し易いはずのメダル通路の通路幅が広がった状態で、不正器具の挿入が物理的に困難なメダル選別装置を提供することにある。
【課題を解決するための手段】
【００１１】
上記の課題を解決するために、本発明のメダル選別装置は、対向する基板と開閉板との対向面間に、メダルを自重により縦方向から横方向へと転動させて通過させるＬ字状のメダル通路が設けられ、当該メダル選別装置の外部から力が加わると、返却部が前記開閉板を回転させて開くメダル選別装置であって、前記開閉板は、前記基板の上部に設けられた軸支部にて回転自在に軸支され、該軸支部は、軸の延長線が前記メダル通路の入口よりも下方に位置するように配設されていることを特徴としている。
【００１２】
上記構成によれば、開閉板が開いた状態では、メダル通路における軸支部よりも上に位置する入口側の通路幅が必然的に、開閉板が閉じている状態の通路幅よりも狭くなる。これにより、不正器具の挿入を物理的に挿入し難い構成とすることができる。
【００１３】
しかも、軸支部を上記のように配設したことで、軸の延長線が位置するメダル通路の縦方向部分における、開閉板が開いた場合の通路幅の広がりを小さくできる。メダル通路の縦方向部分における、開閉板が開いた場合の通路幅の広がりが大きい従来構成では、メダル通路の縦方向部分に配設された検知片を、開閉板が開いた状態で開閉板側のメダル通路の壁面に接触するように設けた場合、検知片の付勢力が強くなり過ぎてメダルの通過に支障を来すこととなる。しかしながら、通路幅の広がりが小さくなったことで、たてえ接触するように設計したとしても、検知片の付勢力が強くなり過ぎることを回避して、メダルの通過に支障を来すことがない。
【００１４】
それゆえ、本発明のメダル選別装置では、以下のようなより好ましい構成とすることができる。
【００１５】
すなわち、本発明のメダル選別装置は、さらに、前記基板における前記メダル通路の縦方向部分に、前記メダル通路の通路空間に向けて前記メダル通路の外部より付勢された常時突出の検知片が出没自在に設けられ、前記開閉板側の前記メダル通路の壁面における前記検知片の先端部が対向する部位に凹部が形成され、前記検知片の先端部は、前記開閉板を閉じた状態で前記凹部に入り込んでいる一方、前記開閉板を開いた状態で前記凹部上の前記メダル通路の壁面の延長面に実質的に達している構成とすることができる。
【００１６】
上記構成によれば、たとえ不正器具が、狭められた入口から挿入できるように薄型可されたとしても、検知片にて確実に不正器具の挿入を検知することが可能となる。なお、検知片の先端部が延長面に実質的に達している状態とは、先端部が延長面に実際に達している状態、延長面を超えて達している状態、延長面の極めて近傍にまで達しているが届いてはいない状態を含む。
【００１７】
しかも、上記構成によれば、開閉板が閉じた状態で、検知片の先端部を凹部に逃がしているので、開閉板が閉じた状態と開閉板が開いた状態とで、検知片の傾きを同じにできる。したがって、不正器具等の異物を検知する際の基準を等しくすることができるといった効果も併せて奏する。
【００１８】
また、本発明のメダル選別装置は、さらに、前記基板における前記メダル通路の縦方向部分に、前記メダル通路の通路空間に向けて前記メダル通路の外部より付勢された常時突出の検知片が出没自在に設けられ、前記検知片の先端部は、前記開閉板を開いた状態で前記開閉板側の前記メダル通路の壁面に実質的に達している構成としてもよい。
【００１９】
上記構成によっても、たとえ不正器具が、狭められた入口から挿入できるように薄型可されたとしても、検知片にて確実に不正器具の挿入を検知することが可能となる。これにおいても、検知片の先端部が壁面に実質的に達している状態とは、先端部が壁面に実際に達している状態、壁面を超えて達している状態、壁面の極めて近傍にまで達しているが届いてはいない状態を含む。
【発明の効果】
【００２０】
本発明によれば、本来、不正器具を挿入し易いはずのメダル通路の通路幅が広がった状態で、不正器具の挿入が物理的に困難なメダル選別装置を提供できるという効果を奏する。
【図面の簡単な説明】
【００２１】
【図１】本実施の形態のメダルセレクタを備えたスロットマシンの外観斜視図である。
【図２】上記スロットマシンの前面扉を片開き式に開口した内部構造を示す斜視図である。
【図３】上記メダルセレクタの正面側を示す外観斜視図である。
【図４】上記メダルセレクタの正面図である。
【図５】上記メダルセレクタの背面側を示す外観斜視図である。
【図６】上記メダルセレクタの背面図である。
【図７】上記メダルセレクタの基板の内側の面を示す正面図である。
【図８】上記メダルセレクタの開閉板の内側の面を示す斜視図である。
【図９】図４のＡ−Ａ線矢視断面図と、その要部拡大図である。
【図１０】図４のＡ−Ａ線矢視断面図に相当する、メダルが通過している状態の断面図である。
【図１１】図４のＢ−Ｂ線矢視断面図に相当する、スロットマシン側のイジェクトボタンの押圧に連動して開閉板が開かれた状態の断面図である。
【図１２】上記メダルセレクタにおける、適正なメダルが通過する状態を示す正面図である。
【図１３】上記メダルセレクタにおける、詰まったメダルを排除する様子を示す正面図である。
【図１４】図４のＡ−Ａ線矢視断面図に相当する、開閉板が開かれた状態の断面図と、その要部拡大図である。
【図１５】図４のＡ−Ａ線矢視断面図に相当する、開閉板が開かれると共に不正器具が挿入された状態の断面図と、その要部拡大図である。
【発明を実施するための形態】
【００２２】
以下、本発明の実施の形態について、詳細に説明する。本実施の形態では、遊技機の一例として、遊技ホールに設置されるスロットマシンを示す。
【００２３】
図１は、本実施の形態のメダルセレクタ（メダル選別装置）１を備えたスロットマシン１１の外観斜視図である。図２はスロットマシン１１の前面扉１１ａを片開き式に開口した内部構造を示す斜視図である。
【００２４】
図１に示すように、スロットマシン１１には、接客対応される前面上部にパネル１２とリール部１３とが設けられ、前面中央に３個のストップボタン１４が設けられている。また、前面左側にはスタートレバー１５と掛け数設定ボタン１６ａと精算ボタン１６ｂとが設けられ、前面右側にはイジェクトボタン１７とメダルＭを１枚ずつ投入するための投入口１８とが設けられ、前面下部には、メダルＭを受ける受皿１９が設けられている。
【００２５】
図２に示すように、スロットマシン１１の前面扉１１ａの内側には、上部より下部にかけてリールカバー２４と、メダルの適否を選別するメダルセレクタ１と、メダル払出シュート２６と、返却口２７とが、この順に設けられている。一方、スロットマシン本体１１ｂの内部空間上部には、メダルセレクタ１の信号を処理し、またスロットマシン１１の各部を制御する制御部１１ｃが設置されている。内部空間中央部には、外周面の絵柄の位置を回転・停止して遊技利用させる３列のリール部１３が設置され、内部空間下部には、メダルの取り込み・払い出し用のメダル払出装置２１、電源装置２２、オーバフロータンク２３が設置されている。
【００２６】
遊技者は、スロットマシン１１を遊技利用するとき、投入口１８（図１参照）にメダルＭを１枚ずつ投入する。投入口１８に投入されたメダルＭは、一旦メダルセレクタ１（図２参照）に導かれ、ここで適否が選別される。メダルセレクタ１で受付が許可されたメダルＭは、メダルセレクタ１の出口に接続されているメダル搬送通路２５ａを介してメダル払出装置２１の上部に備えられているホッパタンク２１ａに受入れられる。一方、メダルセレクタ１で受付が拒否されたメダルＭは、メダル払出シュート２６および返却口２７を介して受皿１９（図１参照）へと返却される。なお、メダルセレクタ１で受付が拒否されたメダルＭ以外に、所定枚数を超えて投入された余剰のメダルＭや、リール回転中やクレジット精算中、電源ＯＦＦ時などに投入されたメダルＭも、メダル払出シュート２６および返却口２７を介して受皿１９へと返却される。
【００２７】
精算ボタン１６ｂ（図１参照）は、遊技者がホッパタンク２１ａに貯留されているメダルＭの返却を要求するボタンである。遊技者が遊技を中止するために精算ボタン１６ｂを押すと、ホッパタンク２１ａに貯留されていたメダルＭが受皿１９へと返却される。
【００２８】
イジェクトボタン１７（図２参照）は、メダルセレクタ１からメダル通路内に詰まったメダルＭを排除させるためのボタンである。遊技者がイジェクトボタン１７を押すと、これに連動してメダルセレクタ１側のイジェクト部が後述するように開閉板２９（図３参照）を開き、詰まっていたメダルＭを排除する。排除されたメダルＭも受皿１９へと返却される。
【００２９】
次に、メダルセレクタ１の構成について説明する。図３はメダルセレクタ１の正面側を示す外観斜視図、図４はメダルセレクタ１の正面図である。図５はメダルセレクタ１の背面側を示す外観斜視図、図６はメダルセレクタ１の背面図である。また、図７はメダルセレクタ１の基板２８の内側の面を示す正面図、図８はメダルセレクタ１の開閉板２９の内側の面を示す斜視図である。なお、以下において、基板２８および開閉板２９における互いに対向する側を内側と称し、その反対側を裏側と称する。
【００３０】
図３〜図６に示すように、メダルセレクタ１は、メダルセレクタ１の本体をなす平面視コの字状の基板２８と開閉板２９とが開閉自在に対設された構造を有する。これら基板２８と開閉板２９との対向面間に、メダルＭを自重により縦方向から横方向へと転動させて通過させるメダル通路３３が設けられている。開閉板２９は、基板２８の上部に設けられた軸支部４５にて回転自在に軸支されると共に、常時、基板２８側に付勢されている。本実施の形態のメダルセレクタ１においては、この軸支部４５の位置に特徴があり、これについては後述する。
【００３１】
メダル通路３３は、図７に示すように、前述の投入口１８（図１参照）に接続対応する入口３４と下方の出口３５とを有するＬ字状に形成されている。メダル通路３３は、入口３４から下方に延びる縦辺部Ｌ１と、斜め下方に延びて出口３５に至る横辺部Ｌ２と、これら両辺部Ｌ１，Ｌ２を湾曲状に連通接続する湾曲部Ｌ３とを備えている。
【００３２】
基板２８には、図５、図６に示すように、基板２８の裏側に配設された支軸３６を支点として揺動可能な可動ガイド板３７が設けられている。可動ガイド板３７は、そのガイド部３８を基板２８の開口部３９からメダル通路３３の上部に臨設し、このガイド部３８でメダルＭの上端側を搬送方向にガイドするように構成されている（図４参照）。
【００３３】
さらに、可動ガイド板３７には、基板２８の裏側に位置する排出部材としてのブロッカー４０が一体に折り曲げ形成されている。ブロッカー４０は、図４に示すように、下端ブロック部４０ａをメダル通路３３下流側の開口部３３ａから該メダル通路３３に出没可能に構成されている。
【００３４】
また、基板２８の裏側には、図５、図６に示すように、ソレノイド４１で駆動される可動板４２が設けられ、この可動板４２の遊端４２ａが可動ガイド板３７の上端３７ａに対向して配置されている。
【００３５】
ソレノイド４１のＯＮ時、可動板４２の遊端４２ａで可動ガイド板３７の上端３７ａが押圧されて、そのガイド部３８でメダルＭの上端側を搬送ガイドすると共に、ブロッカー４０の下端ブロック部４０ａをメダル通路３３の開口部３３ａから裏面側に後退させ、有効と選別された正規のメダルはメダル払出装置２１へ搬送する一方、無効と選別された不適合の大きさのメダル類は開閉板２９の排出口２９ａから排出して、外部の返却口２７に返却するように構成されている（図４参照）。
【００３６】
ソレノイド４１のＯＦＦ時には、ガイド部３８によりメダルＭの上端側の搬送ガイドを解除すると共に、ブロッカー４０の下端ブロック部４０ａをメダル通路３３の開口部３３ａからメダル通路３３側へ突出させて、メダルＭの受入れを中止するよう構成されている（図４参照）。
【００３７】
また、メダル通路３３の横辺部Ｌ２は、該横辺部Ｌ２の上下に対設される可動ガイド板３７と通路の下面を形成する案内プレート３３ｂ（図７参照）との上下に平行する平行間隔により直径の小さなメダルを通路外に排除する外形選別を実施し、正規の大きさのメダルのみを通過させて計数するように構成されている。
【００３８】
これにより、出口３５からは遊技機専用に設けられた一定の大きさの円板形状を有する適正な大きさのメダルＭのみが受入れられる。この出口３５の直前部においてメダル通路３３を形成する基板２８の通路壁には、図７に示すように、メダル通路３３の横辺部Ｌ２を通過するメダルＭを探知して計数する第１センサＳ１と第２センサＳ２とが、この通路方向に順に取付けられている。
【００３９】
これらのセンサＳ１，Ｓ２は投受光してメダルＭの通過を検知する光学式検知センサで構成することができる。メダルＭがメダル通路３３に沿って下流側に移動し、このメダルＭが両センサＳ１，Ｓ２の光軸をこの順に遮ることで、メダルＭの通過を検出する。具体的には、メダルの進行方向を検出すると共に、センサ出力時間、位相差、出力順位などを検出し、メダルの真偽判定・通過メダル枚数の計数を実施するため、適正なメダルの直径より小さくなるように配置された２つのセンサＳ１，Ｓ２を有している。
【００４０】
また、メダル通路３３の入口３４から下方に延びるメダル通路３３の縦辺部Ｌ１には、不正対策手段を兼ねた異物検知レバーセンサ４３が配設されている。異物検知レバーセンサ４３は、図５、図６に示すように、検知レバー（検知片）４４と、この検知レバー４４を付勢するコイルバネ４６と、そのレバーの動きを検知する第３センサＳ３とを組合せて構成される。
【００４１】
検知レバー４４は、メダル通路３３の通路空間に向けてメダル通路３３の外部より付勢され、出没自在で常時突出している。具体的には、基板２８の裏側における縦辺部Ｌ１対応位置に水平に架設された支軸４７に検知レバー４４の上端部が軸支され、検知レバー４４の下側の先端部４４ａが、コイルバネ４６により縦辺部Ｌ１の壁面に設けられた開口窓４８よりメダル通路３３の通路空間に出没自在に突出付勢されている。
【００４２】
検知レバー４４の先端部４４ａは、図７に示すように、複数の突端に分離されており、開閉板２９側のメダル通路３３の壁面における、検知レバー４４の先端部４４ａが対向する部位には、図８に示すように、開閉板２９が閉じた状態で、検知レバーの各突端が入り込む複数の凹部４９が形成されている。
【００４３】
図９に、図４のＡ−Ａ線矢視断面図とその要部拡大図を示す。図９に示すように、検知レバー４４は、コイルバネ４６に付勢されることで、常時、その先端部４４ａを基板２８の裏側から内側のメダル通路３３に向けて斜め下向きに軽く突出させている。そして、詳細については後述するが、検知レバー４４の先端部４４ａは、開閉板２９を閉じた状態で凹部４９に入り込み、開閉板２９を開いた状態で凹部４９上のメダル通路３３の壁面の延長面に実質的に達するように構成されている
図１０に、図４のＡ−Ａ線矢視断面図に相当する、メダルが通過している状態の断面図を示す。図１０に示すように、検知レバー４４は、入口３４からメダルＭがメダル通路３３内に入ると、メダルＭに押されて開口窓４８内に没入する。
【００４４】
さらに、基板２８には、図５、図６に示すように、スロットマシン１１に設けられたイジェクトボタン１７に連動して開閉板２９を回転させて開閉板２９を開くイジェクト部（返却部）５０が設けられている。イジェクト部５０は、基板２８の裏側に水平に架設された支軸５３を支点として揺動可能な可動片５１を備えている。図７に示すように、可動片５１は、その一遊端の押圧部５１ａが基板２８の壁面に設けられた開口窓５２より基板２８の内側に突出しており、常時、開閉板２９の内側の面に当接している。もう一方の遊端は、スロットマシン１１に設けられたイジェクトボタン１７が当接する当接部５１ｂと、基板２８の外側の面と当接して可動片５１のそれ以上の回転を規制するストッパー部５１ｃとなっている。
【００４５】
図１１に、メダルセレクタ１における、スロットマシン側のイジェクトボタン１７の押圧に連動して開閉板２９が開かれた状態を示す。なお、図１１は、開閉板２９の状態は異なるが、図４のＢ−Ｂ線矢視断面図に相当する。図１１に示すように、スロットマシン１１側のイジェクトボタン１７が押されると、その先端部が可動片５１の当接部５１ｂに当接して可動片５１を図において逆時計回り回転させる。この回転により、可動片５１の押圧部５１ａが開閉板２９を内側から外側に向かって押し出し、開閉板２９が支軸３０を支点として回転して開く。これにより、基板２８と開閉板２９との対向面間に形成されるメダル通路３３は、通路の底が抜けた状態となり、メダルセレクタ１の底部に、詰まったメダルＭを排除するための隙間Ｄが形成される。
【００４６】
図１２は、メダルセレクタ１における、適正なメダルが通過する状態を示す正面図である。ソレノイド４１のＯＮ時、メダル通路３３を降下してきた適正なメダルＭは、その上端側が可動ガイド板３７のガイド部３８で搬送ガイドされて出口３５からメダル払出装置２１（図２参照）へと搬送される。また、図示してはいないが、メダル通路３３を降下してきたメダルが適正径よりも小さい小径メダルであった場合は、ソレノイド４１のＯＮ時であっても、その上端側が可動ガイド板３７のガイド部３８に当たらないために搬送ガイドされず、開閉板２９の排出口２９ａから排出されて、外部の返却口２７に返却される。
【００４７】
図１３は、メダルセレクタ１における、詰まったメダルを排除する様子を示す正面図である。図１３に示すように、メダル通路３３に詰まったメダルＭは、スロットマシン１１側のイジェクトボタン１７が押圧されることで、メダルセレクタ１の開閉板２９が広げられ、メダルセレクタ１の底部に形成された間隙Ｄから排除される。
【００４８】
次に、メダルセレクタ１における特徴的な構成について説明する。開閉板２９を回転自在に支持する軸支部４５は、図６に示すように、支軸３０と、開閉板２９側に設けられた軸受３１とを有し、支軸３０に開閉板２９を基板２８側へ付勢するコイルバネ３２が挿通されている。本実施の形態のメダルセレクタ１では、軸支部４５は、基板２８の上部に、軸支部４５の延長線、より詳細には支軸３０の中心の延長線Ｘ（図中、二点鎖線）がメダル通路３３の入口３４よりも下方に位置するように配設されている。軸支部４５は、基板２８側に配設された
図１４に、メダルセレクタ１における、開閉板２９が開かれた状態の断面図と、その要部拡大図を示す。図１４は、開閉板２９の状態は異なるが、図４のＡ−Ａ線矢視断面図に相当し、図９とは開閉板２９の状態が異なる関係にある。
【００４９】
図１４に示すように、軸支部４５を上述のように配設することで、イジェクトボタン１７が押されるなどして開閉板２９が開いた状態では、メダル通路３３における支軸３０（図６参照）よりも上に位置する入口３４側の通路幅Ｗ２が、必然的に通常の通路幅Ｗ１（図９の要部拡大図参照）よりも狭くなる。これにより、不正器具の挿入を物理的に困難にすることができる。
【００５０】
しかも、軸支部４５を上述のように配設した場合、軸支部４５を他の位置、例えば、出口３５のある基板２８の側部に、鉛直方向に沿って軸支部４５を設けた場合等に比べて、イジェクトボタン１７が押された際の、異物検知レバーセンサ４３が配された縦辺部Ｌ１における通路幅の広がりを小さくできる。通路幅の広がりが大きい場合、開閉板２９が開いた状態でも、異物検知レバーセンサ４３の検知レバー４４の先端部４４ａがメダル通路３３の壁面に当接するような設計とすると、検知レバー４４の付勢力が強くなり過ぎ、メダルＭの通過に支障を来す。しかしながら、通路幅の広がりが小さくなったことで、上記のように設計したとしても、検知レバー４４の付勢力が強くなり過ぎることを回避して、メダルＭの通過に支障を来すことがない。
【００５１】
そこで、本実施の形態のメダルセレクタ１では、上述したように、検知レバー４４は、開閉板２９を閉じた状態でその先端部４４ａが凹部４９に入り込んでいる一方、開閉板２９を開いた状態で凹部４９上のメダル通路３３の壁面の延長面に実質的に達するように構成されている。なお、検知レバー４４の先端部４４ａが延長面に実質的に達している状態とは、先端部４４ａが、延長面に実際に達している状態、延長面を超えて達している状態、延長面の極めて近傍にまで達しているが届いてはいない状態を含む。
【００５２】
図１５に、メダルセレクタ１における、開閉板２９が開かれると共に不正器具６０が挿入された状態の断面図を示す。図１５に示すように、不正器具６０が、狭められた入口３４から挿入できるように薄型可されたものであっても、検知レバー４４に確実に接触するため、異物検知レバーセンサ４３にて検知することができる。
【００５３】
しかも、開閉板２９が閉じた状態で、検知レバー４４の先端部４４ａを凹部４９に逃がしているので、開閉板２９が閉じた状態と開閉板２９が開いた状態とで、検知レバー４４の傾きを同じにでき、不正器具等の異物を検知する際の基準を等しくすることができる。基準が等しくなることで、検知レバー４４の動きを検知する第３センサＳ３として、従来あるものを使用することができる。
【００５４】
なお、本実施の形態のメダルセレクタ１では、開閉板２９側のメダル通路３３の壁面に凹部４９を設けたが、該凹部４９を設けない構成としてもよい。すなわち、異物検知レバーセンサの検知レバーを、開閉板２９を開いた状態で、開閉板側のメダル通路３３の壁面に先端部が実質的に達しているように構成してもよい。
【００５５】
これにおいても、検知レバーの先端部が壁面に実質的に達している状態とは、先端部が壁面に実際に達している状態、壁面を超えて達している状態、壁面の極めて近傍にまで達しているが届いてはいない状態を含む。
【００５６】
また、本実施の形態のメダルセレクタ１では、支軸３０は水平に配設されているが、延長線Ｘが入口３４よりも下方となる位置であれば、必ずしも水平である必要はない。また、軸支部４５においては、支軸３０が開閉板２９側に設けられ、軸受３１が基板２８側に設けられていてもよい。
【産業上の利用可能性】
【００５７】
本発明は、基板に開閉板が開閉自在に対設され、基板と開閉板との対向面間にメダル通路が形成されているメダル選別装置に適用することができる。
【符号の説明】
【００５８】
１  メダルセレクタ
１１  スロットマシン
１７  イジェクトボタン
１８  投入口
２８  基板
２９  開閉板
３０  支軸
３３  メダル通路
３４  入口
３５  出口
４３  異物検知レバーセンサ
４４  検知レバー（検知片）
４４ａ  先端部
４５  軸支部
４６  コイルバネ
４７  支軸
４８  開口窓
４９  凹部
５０  イジェクト部（返却部）
５１  可動片
５２  開口窓
５３  支軸
６０  不正器具
Ｌ１  縦辺部
Ｌ２  横辺部
Ｌ３  湾曲部
Ｓ３  第３センサ
【図１】
0006565200.tif 000002
【図２】
0006565200.tif 000003
【図３】
0006565200.tif 000004
【図４】
0006565200.tif 000005
【図５】
0006565200.tif 000006
【図６】
0006565200.tif 000007
【図７】
0006565200.tif 000008
【図８】
0006565200.tif 000009
【図９】
0006565200.tif 000010
【図１０】
0006565200.tif 000011
【図１１】
0006565200.tif 000012
【図１２】
0006565200.tif 000013
【図１３】
0006565200.tif 000014
【図１４】
0006565200.tif 000015
【図１５】
0006565200.tif 000016